Podtech/llm-jp-corpus-v4-ja_patent huggingface dataset:
(57)【特許請求の範囲】
【請求項１】
古い壁紙を剥がして壁紙を新しい壁紙に張り替える施工前に当該施工対象の部屋の中に設置・放置された状態に於いて、稼働中、熱い蒸気を前記部屋の内部に行きわたらせ続けて前記熱い蒸気を前記部屋の全体に充満させる、壁紙はがし用の蒸気大量噴出装置であって、
水を沸騰させて前記熱い蒸気を生成し続けるための電源を有する電源プレートとしての下部と、
前記下部の上に配設されており、蓋が無く、且つ、底面に対して対向すると共に前記部屋の天井に向けて全体的に開口された開口部を有する容器であって、沸騰させるための前記水が前記容器の前記開口部より前記容器の内部に入れられる、本体としての上部と、
前記電源プレートの前記電源の稼働により生じる前記熱い蒸気の噴出時間を１５分から６０分の時間帯内で連続的に可変調整しつつ設定し得るタイマーと
を備えている
ことを特徴とする、壁紙はがし用の蒸気大量噴出装置。
【発明の詳細な説明】
【技術分野】
【０００１】  この発明は、壁紙張り替え施工時の古い壁紙をはがしやすくする装置に関するものである。
【背景技術】
【０００２】  従来の壁紙張り替え施工では、既存の古い壁紙をはがす際はスクレーパーやカッターナイフ、または液状の壁紙はがし剤を用い、手作業で行っているが、なかなかはがれず、苦労することが多い。
【先行技術文献】
【特許文献】
【０００３】
【特許文献１】特開２００３−２１３８８０
【特許文献２】特開２０００−１６０８２５  先行技術文献でも蒸気を使用したものがあるが、そちらは「蒸気をあてながら壁紙を剥離していく」のに対し、本発明は「部屋全体に大量の蒸気を充満させることにより、蒸気噴出後は特別な道具を使うことなく手で簡単に壁紙をはがすことができる」装置である。本発明では天井など高い所も楽にはがすことができる。
【発明の概要】
【発明が解決しようとする課題】
【０００４】  従来の施工方法では、古い壁紙をはがす作業において、なかなかはがれず、時間と手間がかかり、体力・労力も使う。そこで、この発明は、古い壁紙をはがしやすくする装置を提供することを課題とする。
【課題を解決するための手段】
【０００５】
以上の課題を解決するために、本発明の主題に係る壁紙はがし用の蒸気大量噴出装置は、古い壁紙を剥がして壁紙を新しい壁紙に張り替える施工前に当該施工対象の部屋の中に設置・放置された状態に於いて、稼働中、熱い蒸気を前記部屋の内部に行きわたらせ続けて前記熱い蒸気を前記部屋の全体に充満させる、壁紙はがし用の蒸気大量噴出装置であって、水を沸騰させて前記熱い蒸気を生成し続けるための電源を有する電源プレートとしての下部と、前記下部の上に配設されており、蓋が無く、且つ、底面に対して対向すると共に前記部屋の天井に向けて全体的に開口された開口部を有する容器であって、沸騰させるための前記水が前記容器の前記開口部より前記容器の内部に入れられる、本体としての上部と、前記電源プレートの前記電源の稼働により生じる前記熱い蒸気の噴出時間を１５分から６０分の時間帯内で連続的に可変調整しつつ設定し得るタイマーとを備えていることを特徴とする。
【発明の効果】
【０００６】  本発明によれば、大量の蒸気を、施工する部屋全体に行きわたらせ充満させることにより、壁紙が軟化し、接着面の糊が溶け、古い壁紙が楽にはがれるようになる。
また、タイマーをセットして部屋の中央に設置後、放置しておくだけで、人の手もかからず、壁紙をはがしやすくする作業が完了する。
【図面の簡単な説明】
【０００７】
【図１】この発明の一実施形態を示す斜視図である。
【発明を実施するための形態】
【０００８】
（実施の形態１）
この発明の一実施形態を、図１に示す。
装置本体は電気ケトルのような形状で、下部の電源プレートと、上部の本体から成り立っている。
プラスチック製であり、ふたはついておらず、本体側面に持ち運びや水の補充がしやすいよう、取手がついている。
入る水の容量は例えば１．５リットルである。
下部電源プレートに３メートルの電源コードがついている。
湯を沸かして大量の蒸気を発生させる、電気ケトルのような機能と、蒸気噴出時間（１５〜６０分まで）を設定後、自動で電源が切れるタイマーがついている。
この実施の形態によれば、大量の蒸気を部屋全体に充満させることにより、古い壁紙が非常にはがしやすくなる。したがって、手間と体力の大幅な節減、時間の短縮・工期の短縮につながる。
蒸気を充満させる時間は目安として、６畳間の壁全体で２０〜４０分程度、水の量は３リットル程度である。
施工前にセットして放置しておくだけなので、無駄な時間も手間もかからない。
さらに、きれいにはがれるため、はがした後の下地がでこぼこせず、従来パテなどの必要があったが、パテの手間が不要になり、施工性が良くなるという効果がある。
副次的な効果として、常に埃だらけである施工現場であるが、蒸気が充満することにより埃の飛散を抑え、鼻・喉の乾燥防止、ウイルスの活動を抑制する効果がある。
（付記）
以上、本発明の実施の形態を詳細に開示し記述したが、以上の記述は本発明の適用可能な局面を例示したものであって、本発明はこれに限定されるものではない。即ち、記述した局面に対する様々な修正及び／又は変形例を、この発明の範囲から逸脱することの無い範囲内で考えることが可能である。
【実施形態の効果】
この実施形態によれば、大量の蒸気を部屋全体に充満させることにより、古い壁紙が非常にはがしやすくなる。したがって、手間と体力の大幅な節減、時間の短縮・工期の短縮につながる。
蒸気を充満させる時間は目安として、６畳間の壁全体で２０〜４０分程度、水の量は１．５リットル程度である。
施工前にセットして放置しておくだけなので、無駄な時間も手間もかからない。
さらに、きれいにはがれるため、はがした後の下地がでこぼこせず、従来パテなどの必要あったがパテの手間が不要になり、施工性が良くなるという効果がある。
副次的な効果として、常に埃だらけである施工現場であるが、蒸気が充満することにより埃の飛散を抑え、鼻・喉の乾燥防止、ウイルスの活動を抑制する効果がある。
【図１】
0006642911.tif 000002
(57)【特許請求の範囲】
【請求項１】
非磁性の鈴本体部と、揺れることで前記鈴本体部に当たり音が鳴る打鈴部材とを備え、
前記鈴本体部は、当該鈴本体部に貫通連結した強磁性体で製作された柄又は支持部を有し、前記打鈴部材は前記柄又は支持部と磁力により揺動可能に連結されていることを特徴とする鈴。
【請求項２】
前記打鈴部材は複数の磁石が数珠状に連結されていることを特徴とする請求項１記載の鈴。
【請求項３】
前記打鈴部材は鈴本体部の内側に吊り下げ又は立設してあることを特徴とする請求項２記載の鈴。
【発明の詳細な説明】
【技術分野】
【０００１】
本発明は、りん又はれいと称される鈴に関する。
【背景技術】
【０００２】
手で振り動かして音を出すベルや、風鈴のように舌と称される打鈴部材が振れることで音が鳴る各種鈴がある。
これらはいずれも打鈴部材が紐で吊り下げられたものである。
【０００３】
特許文献１には、釣鐘の中に磁石を吊り下げた鈴を鳴らす縁起コマを開示するが、同公報に開示する釣鐘も単に磁石を釣鐘の内側に吊り下げたものに過ぎない。
【先行技術文献】
【特許文献】
【０００４】
【特許文献１】特開２００１−１８７２７７号公報
【発明の概要】
【発明が解決しようとする課題】
【０００５】
本発明は、磁石あるいはそれに強磁性体を組み合せて、数珠状に連結することであるいは磁石の接触点にて揺れ動く打鈴部材を形成した新規の鈴の提供を目的とする。
【課題を解決するための手段】
【０００６】
本発明に係る鈴は、非磁性の鈴本体部と、揺れることで前記鈴本体部に当たり音が鳴る打鈴部材とを備え、前記鈴本体部は、当該鈴本体部に貫通連結した強磁性体で製作された柄又は支持部を有し、前記打鈴部材は前記柄又は支持部と磁力により揺動可能に連結さていることを特徴とする。
ここで、前記打鈴部材は１つ又は複数の、磁石又は強磁性体が数珠状に連結されているものでもよい。
本発明において、打鈴部材が揺動可能に磁力で鈴本体部に連結されているとは、相互に点接触にて磁力連結されていることをいう。
このように、１つ又は複数の磁石をその磁力を用いて直線状に数珠つなぎすると、左右に揺れるようになる。
そこで本発明は、複数の磁石同士をあるいは磁石に鉄等の強磁性体を数珠つなぎにしたものである。
【０００７】
この場合に色々な方向に揺れる（振れる）点では、磁石又は／及び強磁性体は球形状であるのが好ましい。
【０００８】
磁石等を数珠つなぎにする方法としては、例えば図１に示すように球状のネオジウム磁石１２ｂ〜１２ｄを鈴本体部の内側や外側に吊り下げる態様がある。
また、図２に示すように例えば５個等、複数の磁石１２ｂ〜１２ｄを鈴本体部の内側や外側にその磁力を用いて立設する方法がある。
【発明の効果】
【０００９】
本発明に係る鈴は、複数の磁石あるいはそれに鉄球等の強磁性体を数珠つなぎにして揺れる打鈴部材としたので、磁石等の数，大きさ，磁力により揺れ（振れ）力の調整が可能であり、また磁力にてつながれているだけなので、取り付けや取り外しも容易である。
【図面の簡単な説明】
【００１０】
【図１】非磁性体からなる鈴本体部の内側に複数の磁石等を数珠状に吊り下げた例を示す。
【図２】非磁性体からなる鈴本体部の内側に複数の磁石等を数珠状に立設させた例を示す。
【図３】磁石の接触点の動きを応用した鈴の例を示す。
【発明を実施するための形態】
【００１１】
本発明に係る鈴は、りん，呼びりん，ベル，風りん等として用いることができるものであり、以下その構造例を図に基づいて説明するが、本発明はこれに限定されない。
【００１２】
図１に示した鈴１０は、真鍮，青銅，錫等の非磁性材で製作した鈴本体部１１の内側に数珠状の打鈴部材１２を配設した例である。
鈴本体部１１は、開口部を有すれば釣鐘状でもお椀状でもよく、その形状や構造に制限はない。
打鈴部材１２は、球状のネオジウム磁石を数珠状に５個（１２ｂ〜１２ｆ）を吊り下げた例になっているが、その大きさや数に制限はない。
本実施例では、鈴本体部１１の上部側に鉄等の強磁性体で製作した柄１３を連結し、この柄１３の下端部１３ａに磁石１２ｆを磁力で取り付け、その下側に数珠状に球状の磁石１２ｂ〜１２ｅを磁力でつなげた例になっている。
下端部の磁石１２ｂには、振れやすくするために磁石１２ｂよりも重い鉄の打りん部（舌）１２ａを磁力で吊り下げた例になっている。
これにより、柄を持って軽く振るだけで打りん部１２ａが振れ、鈴本体部１１を打ち鳴らす。
球状の磁石はネオジウムに限定されないが、ネオジウム磁石は、Ｎｄ，Ｆｅ，Ｂを主成分とし、表面をニッケルメッキ仕上げしたものが容易に入手できる。
球の大きさも直径１ｍｍ〜２０ｍｍと多くの種類が市販されている。
また、ネオジウム磁石は強力であり、複数の鉄球を数珠状に吊り下げることもできる。
【００１３】
図２は、非磁性体からなる上部が開いたグラス状の鈴本体部１１を強磁性体からなる支持部１４ａを介して、座部１４を設けた例である。
この鈴本体部１１は、各種デザイン化された異形状であってもよい。
支持部１４ａと鈴本体部１１の底部とは、螺子構造，嵌合構造等にて連結してあり、支持部１４ａの上端部１４ｂの上に球状のネオジウム磁石１２ｂ〜１２ｆをその磁力を用いて数珠状に立設してある。
本実施例では、上部の打りん部１２ａに筒状の収納凹部１１２ａを設けた例になっている。
このようにすると、収納凹部１１２ａに例えば図２に示したように、花や葉，羽根等の装飾体１５を挿すこともできる。
この装飾体１５は、手で軽く触れたり、風等にて打鈴部材１２が左右に振れ（揺れ）、打りん部１２ａが鈴本体部を打ち鳴らす。
このように本発明に係る鈴においては、打鈴部材を複数の磁石、あるいは強磁性体を組み合せて数珠状に連設したので、その磁力にて相互にくっつきながら左右に振れ動くことができるので、これまでにない鈴となる。
また、本実施例は、打鈴部材を鈴本体部の内側に配設したが、外側に設けてもよい。
【００１４】
本発明は、磁石のＮ極とＳ極との接点部の揺れ、あるいは鉄等の強磁性体と磁石との磁力による接点部の揺れを利用した打鈴部材に特徴がある。
そこで、図３に示すように柄１３の下端部に設けた強磁性体の接触部１３ｂを凸面や平面にし、これに球形状の磁石１２ｇを磁力で取り付けた。
磁石１２ｇには、棒状、あるいはピアノ線，スプリング等、可撓性材又は弾性材の吊り下げ部材１６を用いて、打りん部１２ａを吊り下げ連結した。
これにより、磁石１２ｇと柄１３の接触部１３ｂと接点部が揺れ起点となり、振れることで音が鳴る。
この場合に柄１３を磁石にして、その下に鉄球を磁石１２ｇの替わりに磁着させてもよい。
【符号の説明】
【００１５】
１０      鈴
１１      鈴本体部
１２      打鈴部材
１３      柄
１４      座部
【図１】
0006703773.tif 000002
【図２】
0006703773.tif 000003
【図３】
0006703773.tif 000004
(57)【特許請求の範囲】
【請求項１】
車両車輪用ディスクブレーキに装着する集塵器であって、該集塵器はガード１およびフィルタ２とからなり、前記集塵器にはさらに前記フィルタ２と前記ガード１およびバックプレート６により形成される空間９と前記ガード１の底板の直上には走行時発生する気流により吸引作用を得る排気口１Ａが設けられていることを特徴とする集塵器。
【請求項２】
前記集塵器の外周の周方向の長さは、少なくともキャリパ３の下部からロータ５の直下に対応する前記集塵器の外周の周方向の長さ以上とすることを特徴とする請求項１に記載の集塵器。
【発明の詳細な説明】
【技術分野】
【０００１】  本発明は車両車輪用ディスクブレーキの制動時に発生し排出する粉塵を集塵する集塵器に関する。【０００２】  この粉塵はブレーキパッド及びブレーキディスクロータの磨耗片からなり微粒子で空中を舞い空気を汚染する公害物質である。又この粉塵は周囲に付着し汚し外観をも損なう厄介な粉塵である。【０００３】  この厄介な粉塵は特に自動車用ホイールに付着すると外部から汚れが目立ち外観から美観を損ない又ホイール形状が複雑なデザインの場合この粉塵掃除は大変な労力を要するものであるがこれらから開放される集塵器である。
【背景技術】
【０００４】  この種の集塵器として特許文献１・２がありフィルタはブレーキディスクロータの左右側面あるが吸引力はなく集塵は一部である。また従来のブレーキパッドのままでは使用できず変更する必要がある。【０００５】  また特許文献３のフィルタはディスクロータの外側にあり集塵力を強めようとフィルタを大きくするとディスクロータ径が小さくなり制動力は弱まってしまう又制動力を確保しようと従来のディスクロータ径にするとフィルタが小さくなり飛散する粉塵の集塵は一部である。
【先行技術文献】
【特許文献】
【０００６】
【特許文献１】特開平２−１５０５２１
【０００７】
【特許文献２】実用新案登録第３１４４８５２号
【０００８】
【特許文献３】特開２００７−３０９４０６
【発明の概要】
【発明が解決しようとする課題】
【０００９】  上記の集塵器によれば集塵力は弱く一部の集塵であり集塵力に問題がある。【００１０】  集塵力を強めようとすると既存のブレーキに比べディスクロータ径は小さくなり制動力が劣り問題がある。
【課題を解決するための手段】
【００１１】  本発明に係る請求項１記載の集塵器は、ガード１およびフィルタ２とからなり、前記集塵器にはさらに前記フィルタ２と前記ガード１およびバックプレート６により形成される空間９と前記ガード１の底板の直上には走行時発生する気流により吸引作用を得る排気口１Ａが設けられていることを特徴とする集塵器である。【００１２】  請求項２に記載の発明による集塵器の外周の周方向の長さは、少なくともキャリパ３の下部からロータ５の直下に対応する前記集塵器の外周の周方向の長さ以上とすることを特徴とする請求項１に記載の集塵器である。
【発明の効果】
【００１３】  請求項１記載の発明による効果はフィルタ２は飛散する粉塵７を受け止めるだけではなく吸引作用がある。走行中の車両等においては図１・２が示すように気流が発生しこの気流が排気口１Ａを通過する時、空間９の空気を吸引し、空間９はフィルタ２より集塵されきれいなった空気のみを吸引し排気口１Ａより排気する、この排気口１Ａの吸引力がフィルタ２に作用する吸引力である。これにより集塵力の優れた集塵器を提供できる。【００１４】  請求項２記載の発明による効果は請求項１の効果に加え集塵器の外周の周方向の長さは、少なくともキャリパ３の下部からロータ５の直下に対応する前記集塵器の外周の周方向の長さ以上とすることで小型・軽量の集塵器を提供できる。【００１５】  フィルタ２は粉塵７を捕らえ、きれいになった空気のみが空間９を通り排気口１Ａより排気し空気を汚染しない。
【図面の簡単な説明】
【００１６】
【図１】  本発明に係る集塵器の側面図である。
【図２】  図１における下面図である。
【図３】  図１におけるＸ−Ｘ線断面図である。
【図４】  最小集塵器を示す側面図である。
【発明を実施するための形態】
【００１７】  図１は本発明に係る集塵器の実施例を示す。集塵器はキャリパ３の下方側及びバックプレート６の外側に延在しパッド４とロータ５との摩擦と遠心力によって粉塵７が発生排出される側に取付る。
【００１８】  図３で示すようにガード１はキャリパ３及びバックプレート６との接続部は螺子止めあるいは接着剤等で密着している。
【００１９】  図３で示すようにフィルタ２の周囲は空気が入らないように密着剤８やシール剤で覆われフィルタ２とガード１とバックプレート６との間には空間９がある。
【００２０】  図１・図２で示すようにガード１の底板の直上には排気口１Ａがあり走行中ここを流れる気流により空間９の空気を吸引し空間９はフィルタ２により集塵されきれいになった空気のみを吸引し排気口１Ａより大気へ排出する。この吸引力がフィルタ２の吸引力であり集塵力である。
【００２１】  特に高速走行中の粉塵７の発生量が多くなりフィルタ２にはより強い吸引力が必要となるが、速度に比例して排気口１Ａの気流も強くなり吸引力も強くなる集塵器である。
【００２２】  外つば１Ｂ・内つば１Ｃによって気流はより強くなり吸引力も強くなりよって集塵力も強まる。
【００２３】  外つば１Ｂ・内つば１Ｃは許容最大限の大きさとし集塵力を高める。
【００２４】  ガード１の長さ及びフィルター２の長さは走行距離や車両重量等使用条件よって粉塵７の発生排出量が異なるためその使用条件に合わせ加減する。それらの外周の周方向の長さは、少なくともキャリパー３の下部からロータ５の直下に対応する前記集塵器の外周の周方向の長さ以上としこれによりフィルター２はその機能を予定した期間持続できる。第４図はその例である。
【００２５】  少部品点数で構成され低額で容易に取付できる。
【００２６】  既存のディスクブレーキ構成は変更せず追加取付できるので制動力は変わらない。
【符号の説明】
【００２７】        １    ガード
１Ａ  排気口
１Ｂ  外つば
１Ｃ  内つば
２    フィルタ
３    キャリパ
４    パッド
５    ロータ
６    バックプレート
７    粉塵
８    密着剤
９    空間
【要約】
【課題】  車両車輪用等に採用されているディスクブレーキは制動時に粉塵を発生し撒き散らし空気を汚染し又その粉塵は周囲に付着し汚し外観をも損なう公害物質である。特に自動車のホイールに著しく観られこれをきれいな状態に保つには大変な労力を要します。この粉塵を集塵し公害を阻止する集塵器を提供する。
【解決手段】  車両車輪用ディスクブレーキに装着する集塵器において該集塵器はガード１とフィルタ２とからなり、さらにフィルタ２とガード１およびバックプレート６により形成される空間９がありガード１の底板の直上には走行時発生する気流より吸引作用を得る排気口１Ａが設けられた集塵器である。
【選択図】図１【図１】
0006703677.tif 000002
【図２】
0006703677.tif 000003
【図３】
0006703677.tif 000004
【図４】
0006703677.tif 000005
(57)【特許請求の範囲】
【請求項１】
一対のレンズと、一対のツルと、一対の蝶番と、レンズブリッジと、を具備するメガネにおいて、メガネの構成部品である右レンズと、右ツルと、右蝶番と、左レンズと、左ツルと、左蝶番と、レンズブリッジと、が薄板形状に一体形成されたメガネであり、前記右蝶番と、前記左蝶番と、前記レンズブリッジと、に山折箇所または谷折箇所を具備し、前記山折箇所と谷折箇所を折ると立体形状のメガネになり、前記山折箇所と谷折箇所を全て平らにすると薄板形状に戻ることを特徴としていて、前記薄板形状に一体形成されたメガネの構成部品の配置が、平面図的には、前記メガネの右半分の構成部品である右レンズと右ツルと右蝶番と、前記メガネの左半分の構成部品である左レンズと左ツルと左蝶番と、がレンズブリッジを中心にした点対称の配置であることを特徴としていて、前記メガネの右半分の構成部品について立体形状のメガネに仕立てたとき内側にくる面が薄板形状のメガネで薄板の上面に形成される場合、前記メガネの左半分の構成部品について立体形状のメガネで内側にくる面は薄板形状のメガネで薄板の下面に形成され、前記メガネの右半分の構成部品について立体形状のメガネで外側にくる面は薄板形状のメガネで薄板の下面に形成され、前記メガネの左半分の構成部品について立体形状のメガネで外側にくる面は薄板形状のメガネで薄板の上面に形成される、という部品配置を特徴とする薄板形状のメガネ。
【請求項２】
前記薄板形状のメガネの山折箇所と谷折箇所を折って立体形状のメガネに仕立てたときに薄板の面と面が重なり合う部分にのりしろを具備し、前記のりしろに密着状態を保持する手段、を具備した請求項１に記載のメガネ。
【発明の詳細な説明】
【発明の詳細な説明】
【技術分野】
【０００１】  本発明は、薄板状に畳めるメガネに関する。
【関連する背景技術】
【発明が解決しようとする課題】
【０００２】  外出先で老眼鏡が手元に無くレストランのメニューとか商品のタグが読めずとても不便なことがある。普段メガネを掛けずに生活し老眼鏡だけ必要な人にとっては、外出時に老眼鏡を家に置き忘れることがしばしば起こるし、忘れずにメガネケースに入れて持ち歩くと嵩張るし、それを嫌い裸のまま直接シャツやズボンのポケットに入れて持ち歩くと我慢できる程度の嵩張りで済むが落としたり曲げたりといった危険が増し、持ち歩くのに何とも厄介な代物だ。
【０００３】  本発明はこのような外出時にたまに使用する老眼鏡やサングラスなど嵩張るメガネを持ち歩く際の問題を解消するもので、その目的は、嵩張らないメガネを提供することにある。
【課題を解決するための手段】
【０００４】  上述した目的を達成すべく本発明に係るメガネは、携行時はレンズとツルと蝶番とレンズブリッジとが一体形成された薄板状であり、メガネとして使用する時にはこれを折り紙細工のように山折と谷折で立体化して一般のメガネと同様に両耳と鼻でメガネを支えて使用できるものである。そしてメガネを使い終えたら立体形状から薄板状へ戻し、あまり嵩張らないので例えばスマホケースとか財布などに入れて気軽に持ち歩ける。スマホケースや財布にメガネが同居している訳で、外出時にスマホや財布を忘れることはまず無いので老眼鏡を家に置き忘れることが無くなると期待できる。
【発明を実施するための形態】
【０００５】  以下、図面を参照して本発明の一実施形態に係るメガネについて説明する。
図１はメガネの概略構成を示す図で、右レンズ１Ｒ、右ツル２Ｒ、右蝶番３Ｒ、左レンズ１Ｌ、左ツル２Ｌ、左蝶番３Ｌ、レンズブリッジ４からなる。
右レンズ１Ｒ、右ツル２Ｒ、右蝶番３Ｒ、左レンズ１Ｌ、左ツル２Ｌ、左蝶番３Ｌ、レンズブリッジ４は一体に形成されて未使用時は薄板状を成している。メガネとして使用する時は右蝶番３Ｒと左蝶番３Ｌとレンズブリッジ４の箇所に示した山折線と谷折線に沿って折ることで立体形状になるので一対のツル２Ｒと２Ｌを耳に掛け、折り畳まれたレンズブリッジ４を鼻に乗せてメガネとして使用できる。メガネの使用を終えたら山折と谷折を元に戻すことで薄板状になるのでスマホケースとか財布などに収納可能となる。
【０００６】  構成上の大きな特徴はメガネの右半分の構成部品となる右レンズ１Ｒと右ツル２Ｒと右蝶番３Ｒと、メガネの左半分の構成部品となる左レンズ１Ｌと左ツル２Ｌと左蝶番３Ｌと、が前記薄板状に一体形成された面の中でレンズブリッジ４を中心とした点対称の配置であることで、この部品配置によって平板状に畳んだ時従来は実現が困難だった縦７センチメートル横１３センチメートルの長方形サイズ以下を実現できた。
なお、一対のレンズ１Ｒと１Ｌは老眼鏡用を例に挙げ携行メガネとしての有用性を説いてきたが、一対のレンズ１Ｒと１Ｌは度無しのサングラス用などであっても良い。
【０００７】  図２もメガネの概略構成を示す図で、右レンズ１Ｒ、右ツル２Ｒ、右蝶番３Ｒ、左レンズ１Ｌ、左ツル２Ｌ、左蝶番３Ｌ、レンズブリッジ４、のりしろ５からなる。
右レンズ１Ｒ、右ツル２Ｒ、右蝶番３Ｒ、左レンズ１Ｌ、左ツル２Ｌ、左蝶番３Ｌ、レンズブリッジ４は一体に形成されて未使用時は薄板状を成している。メガネとして使用する時は右蝶番３Ｒと左蝶番３Ｌとレンズブリッジ４の箇所に示した山折線と谷折線に沿って折ることで立体形状になるので一対のツル２Ｒと２Ｌを耳に掛け、折り畳まれたレンズブリッジ４を鼻に乗せてメガネとして使用できる。
山折谷折して立体化したメガネの形状を維持する仕掛けとしてのりしろ５があり、この箇所には粘着剤とかマジックテープとか磁石など一時的に部品間を密着維持する仕掛けを設ける。メガネの使用を終えたら容易に切り離せる程度の密着強度がよい。メガネの使用を終えたら山折と谷折を元に戻すことで薄板状になるのでスマホケースとか財布などに収納可能となる。
【発明の効果】
【０００８】  以上説明したように、本発明に係るメガネは、携行時はレンズとツルと蝶番とレンズブリッジとが一体形成された薄板状であり、メガネとして使用する時にはこれを折り紙細工のように山折と谷折で立体化して一般のメガネと同様に両耳と鼻でメガネを支えて使用するものである。そしてメガネを使い終えたら立体形状から薄板状へ戻し、あまり嵩張らないので例えばスマホケースとか財布などに入れて気軽に持ち歩ける。スマホケースや財布にメガネが同居している訳で、外出時にスマホや財布を忘れることはまず無いので老眼鏡を家に置き忘れることが無くなるといった実用上多大なる効果が奏せられる。
【図面の簡単な説明】
【０００９】
【図１】  本発明の一実施形態に係るメガネの概略構成図。
【図２】  本発明の一実施形態に係るメガネの概略構成図。
【符号の説明】
【００１０】  １Ｒ  右レンズ
１Ｌ  左レンズ
２Ｒ  右ツル
２Ｌ  左ツル
３Ｒ  右蝶番
３Ｌ  左蝶番
４    レンズブリッジ
５    のりしろ
【図１】
0006673561.tif 000002
【図２】
0006673561.tif 000003